(57)【要約】【課題】メタボリック・シンドロームの診断基準に係わる指標，及び，メタボリック対策の「食生活の改善」に係わる指標を表示することのできるヘルスケアシステムを提供する。【解決手段】ヘルスケアシステム１は，ユーザが所持するＩＣカード２と，メタボリック・シンドロームの診断基準に係わる指標を数値化した診断基準情報（尿糖値）を測定し，診断基準情報と測定日をＩＣカード２に書き込む診断基準測定装置３と，メタボリック対策の一つである「食生活の改善」に係わる指標を数値化した対策指標情報（カロリー値）を飲食物毎に記憶し，ユーザに販売した飲食物の対策指標情報と販売日をＩＣカード２に書き込む販売装置４と，診断基準情報及び対策指標情報等をＩＣカード２から読み取り，一定期間内における対策指標情報と診断基準情報の変動を表示する表示装置５と，から少なくとも構成されている。【選択図】図１
2011028367.tif 000002
【特許請求の範囲】
【請求項１】
ユーザが所持するＩＣカードと，メタボリック・シンドロームの診断基準に係わる指標を数値化した診断基準情報を測定し，前記診断基準情報と測定日を前記ＩＣカードに書き込む診断基準測定装置と，メタボリック対策の一つである「食生活の改善」に係わる指標を数値化した対策指標情報を飲食物毎に記憶し，前記ユーザに販売した飲食物の前記対策指標情報と販売日を前記ＩＣカードに書き込む販売装置と，前記診断基準情報及び前記測定日並びに前記対策指標情報及び前記販売日を前記ＩＣカードから読み取り，一定期間内における前記対策指標情報と前記診断基準情報の変動を表示する表示装置と，から少なくとも構成されていることを特徴とするヘルスケアシステム。
【請求項２】
前記表示装置は，一定期間内における前記対策指標情報と前記診断基準情報の変動を表すグラフを表示することを特徴とする請求項１に記載のヘルスケアシステム。
【請求項３】
前記表示装置は，前記対策指標情報の変動を表すグラフと前記診断基準情報の変動を表すグラフの種類を変更することを特徴とする請求項２に記載のヘルスケアシステム。
【請求項４】
前記表示装置は，前記対策指標情報の変動を棒グラフで表示し，前記診断基準情報の変動を折れ線グラフで表示することを特徴とする請求項３に記載のヘルスケアシステム。
【請求項５】
前記診断基準測定装置は，前記診断基準情報を尿糖値とし，尿糖値測定器が備えられた便器であることを特徴とする請求項１から請求項４のいずれか一つに記載のヘルスケアシステム。
【請求項６】
前記販売装置は，前記対策指標情報をカロリー値とし，飲料水を販売する自動販売機であることを特徴とする請求項１から請求項５のいずれか一つに記載のヘルスケアシステム。
【請求項７】
前記販売装置は，前記対策指標情報をカロリー値とし，食堂で提供しているメニューの食券を販売する食券販売機であることを特徴とする請求項１から請求項５のいずれか一つに記載のヘルスケアシステム。
【発明の詳細な説明】
【技術分野】
【０００１】
本発明は，メタボリック対策に係わるヘルスケアを提供するためのシステムである。
【背景技術】
【０００２】
メタボリック・シンドロームの予防・改善を目的とした制度を国が導入し，企業の健康保険組合にメタボリック対策が義務付けられたことを受けて，企業側でも従業員のメタボリック対策に係わるヘルスケアを行うようになった。
【０００３】
メタボリック・シンドロームは，「代謝症候群」又は「内臓脂肪症候群」とも呼ばれ、内臓脂肪型肥満が要因となる「高血圧」、「高脂血症」、「糖尿病」、「肥満症」などの4つ生活習慣病のうち、2つ以上が重なった複合生活習慣病を意味し，メタボリック・シンドロームには複合生活習慣病の予備軍も含まれる。
【０００４】
メタボリック・シンドロームの診断基準としては，「内臓脂肪の蓄積」，「脂質異常」，「高血圧」及び「高血糖値」などの診断基準があり，メタボリック対策としては「運動習慣」と「食生活の改善」が基本となり，メタボリック対策の一つである「食生活の改善」に係わる様々な発明が開示されている。
【０００５】
例えば，特許文献１では，セルフサービス方式で希望するメニューが載せられた食器を選択してトレイに乗せ，食器に貼付されたＲＦＩＤタグを読み取り、該読み取られた食器の形状などに加え，メニューの名称、価格および合計金額等と共にカロリーも表示をする決済システムが開示されている。
【０００６】
また，特許文献２では，採尿部が便器に取り付けられた尿糖測定装置と、手洗器前方の床に埋設された体重計と、メインパネルに一体化された体脂肪計と、鏡と手洗器の間に配設されたメインパネルなどを備え、これらの装置がトイレ内に配設され、尿糖測定装置で測定された尿糖値，体重計で測定された体重値及び体脂肪計で測定された体脂肪値をメインパネルに送信し表示する健康管理システムが開示されている。
【先行技術文献】
【特許文献】
【０００７】
【特許文献１】特開２００４−１０２５６３号公報
【特許文献２】特開２００９−０６３４３５号公報
【発明の概要】
【発明が解決しようとする課題】
【０００８】
しかし，上述した従来技術は，メタボリック・シンドロームの診断基準に係わる指標，又は，メタボリック対策の一つである「食生活の改善」に係わる指標のいずれかのみを表示する技術で，メタボリック・シンドロームの診断基準に係わる指標，及び，メタボリック対策の一つである「食生活の改善」に係わる指標を関連付けて表示する技術ではなかった。
【０００９】
例えば，特許文献１では，食生活の改善に係わる指標としてユーザが摂取したカロリーが表示されるのにとどまり，また，特許文献２では，尿糖値，体重値及び体脂肪値などが表示されるのにとどまる。
【００１０】
そこで，本発明は，メタボリック・シンドロームの診断基準に係わる指標，及び，メタボリック対策の一つである「食生活の改善」に係わる指標を表示することのできるヘルスケアシステムを提供することを目的とする。
【課題を解決するための手段】
【００１１】
上述下課題を解決する第１の発明は，ユーザが所持するＩＣカードと，メタボリック・シンドロームの診断基準に係わる指標を数値化した診断基準情報を測定し，前記診断基準情報と測定日を前記ＩＣカードに書き込む診断基準測定装置と，メタボリック対策の一つである「食生活の改善」に係わる指標を数値化した対策指標情報を飲食物毎に記憶し，前記ユーザに販売した飲食物の前記対策指標情報と販売日を前記ＩＣカードに書き込む販売装置と，前記診断基準情報及び前記測定日並びに前記対策指標情報及び前記販売日を前記ＩＣカードから読み取り，一定期間内における前記対策指標情報と前記診断基準情報の変動を表示する表示装置と，から少なくとも構成されていることを特徴とするヘルスケアシステムである。
【００１２】
更に，第２の発明は，前記表示装置は，一定期間内における前記対策指標情報と前記診断基準情報の変動を表すグラフを表示することを特徴とする第１の発明に記載のヘルスケアシステムである。
【００１３】
更に，第３の発明は，前記表示装置は，前記対策指標情報の変動を表すグラフと前記診断基準情報の変動を表すグラフの種類を変更することを特徴とする第２の発明に記載のヘルスケアシステムである。
【００１４】
更に，第４の発明は，前記表示装置は，前記対策指標情報の変動を棒グラフで表示し，前記診断基準情報の変動を折れ線グラフで表示することを特徴とする第３の発明に記載のヘルスケアシステムである。
【００１５】
更に，第５の発明は，前記診断基準測定装置は，前記診断基準情報を尿糖値とし，尿糖値測定器が備えられた便器であることを特徴とする第１の発明から第４の発明のいずれか一つに記載のヘルスケアシステムである。
【００１６】
更に，第６の発明は，前記販売装置は，前記対策指標情報をカロリー値とし，飲料水を販売する自動販売機であることを特徴とする第１の発明から第５の発明のいずれか一つに記載のヘルスケアシステムである。
【００１７】
更に，第７の発明は，前記販売装置は，前記対策指標情報をカロリー値とし，食堂で提供しているメニューの食券を販売する食券販売機であることを特徴とする第１の発明から第５の発明のいずれか一つに記載のヘルスケアシステムである。
【発明の効果】
【００１８】
上述した本発明によれば，メタボリック・シンドロームの診断基準に係わる指標，及び，メタボリック対策の一つである「食生活の改善」に係わる指標を表示することのできるヘルスケアシステムを提供できる。
【図面の簡単な説明】
【００１９】
【図１】ヘルスケアシステムの構成を説明する図。
【図２】販売装置のブロック図。
【図３】販売装置の動作を説明するフロー図。
【図４】診断基準測定装置のブロック図。
【図５】診断基準測定装置の動作を説明するフロー図。
【図６】表示装置の動作を説明するフロー図。
【図７】対策指標情報及び診断基準情報の表示例を示した図。
【発明を実施するための形態】
【００２０】
ここから，本願発明の実施形態について，本願発明の技術分野に係わる当業者が，本願発明の内容を理解し，本願発明を実施できる程度に説明する。
【００２１】
図１は，本実施形態のヘルスケアシステム１の構成を説明する図である。
図１で図示したヘルスケアシステム１は，企業や官公庁などに設置されるシステムで，ヘルスケアシステム１の利用対象となるユーザ，ここでは，企業や官公庁に勤務する従業員は，社員証として利用されるＩＣカード２（ここでは，非接触型のＩＣカード）を所持している。
【００２２】
図１のヘルスケアシステム１において，メタボリック対策の「食生活の改善」に係わる指標を数値化した対策指標情報は飲食物のカロリー値であり，対策指標情報（図１では，カロリー値）をＩＣカード２に書き込む販売装置４として，図１では，販売している飲料水毎にカロリー値を記憶し，ユーザが飲料水を購入した際，該飲料水のカロリー値及び購入日をＩＣカード２に書き込む自動販売機４ａと，社員食堂のメニューの食事毎にカロリー値を記憶し，ユーザが食事の食券を購入した際，該食券に対応する食事のカロリー値及び販売日をＩＣカード２に書き込む食券販売機４ｂを例示している。
【００２３】
また，図１のヘルスケアシステム１において，メタボリック・シンドロームの診断基準を数値化した診断基準情報は，メタボリック・シンドロームの診断基準の一つである血糖値と関連性のある尿糖値であり，診断基準情報（図１では，尿糖値）と測定日をＩＣカード２に書き込む診断基準測定装置３として，尿糖値測定器が取り付けられた便器３ａを例示している。
【００２４】
図１において，対策指標情報及び診断基準情報を表示する表示装置５はコンピュータ５ａとして図示しており，表示装置５には，ＩＣカード２とデータ通信するリーダライタ装置５０が接続され，表示装置５には，ＩＣカード２から読み出した対策指標情報及び販売日並び診断基準情報及び測定日を用い，一定期間内における対策指標情報と診断基準情報の変動を表したグラフを表示するためのコンピュータプログラムが実装されている。
【００２５】
このように，図１のヘルスケアシステム１によれば，メタボリック・シンドロームの診断基準を数値化した診断基準情報（図１では，尿糖値）と，メタボリック対策の「食生活の改善」に係わる指標を数値化した対策指標情報（図１では，カロリー値）が同一のＩＣカード２に書き込まれることで，表示装置５（図１では，コンピュータ５ａ）は，ＩＣカード２に記憶された対策指標情報及び販売日並び診断基準情報及び測定日を読み取り，一定期間内における対策指標情報と診断基準情報の変動を表示できるようになる。
なお，一定期間内における対策指標情報と診断基準情報の変動はグラフ化して表示すると，対策指標情報と診断基準情報の変動を分かり易く表示できる。
【００２６】
一定期間内における対策指標情報（図１では，カロリー値）と診断基準情報（図１では，尿糖値）の変動を表したグラフを表示すれば，ユーザは，一定期間内における対策指標情報と診断基準情報の変動から，対策指標情報と診断基準情報の関係を把握でき，食事制限を行うなどして，メタボリック対策を行うことができるようになる。
【００２７】
ここから，ＩＣカード２，販売装置４（図１では，自動販売機及び食券販売機），診断基準測定装置３（図１では，尿糖値測定器が取り付けられた便器３ａ）及び表示装置５（図１では，コンピュータ）について説明する。
【００２８】
ユーザが所持するＩＣカード２は，ＩＳＯ／ＩＥＣ７８１６のファイルシステムに準拠した汎用のＩＣカード２を利用できるため，ここでは，敢えて詳細には説明しないが，対策指標情報などのデータをＩＣカード２に書き込むライトコマンド，ＩＣカード２に書き込まれたデータを読み出すリードコマンドなどがＩＣカード２に実装され，電気的に書き換え可能な不揮発性メモリ（例えば，ＥＥＰＲＯＭ）には，一定期間の対策指標情報を記憶できるだけの複数のレコードと一定期間の診断基準情報を記憶できるだけの複数のレコードが設けられている。
【００２９】
次に，販売装置４について説明する。図２は，販売装置４のブロック図で，図３は，販売装置４の動作を説明するフロー図である。
【００３０】
図２に図示しているように，販売装置４は，飲食物（図１では，飲料水や食券）の購入代金に対する決済処理を行い，飲食物を販売する販売手段４１と，ユーザが所持するＩＣカード２とデータ通信するリーダライタ手段４０と，販売装置４で販売している飲食物毎に対策指標情報を記憶した対策指標情報ＤＢ４２（DB: DataBase）を備えている。
【００３１】
販売装置４に備えられた販売手段４１の具体的な内容は，販売装置４として利用される装置で異なる。販売装置４が自動販売機４ａであれば，販売手段４１は，飲料水毎に陳列されるサンプル，飲料水毎に設けられる押しボタン，コイン投入口，決済機構，飲料水の排出機構などで構成される。また，販売装置４が食券販売機４ｂであれば，販売手段４１は，食券毎に設けられる押しボタン，コイン投入口，決済機構，食券の排出機構などで構成される。
【００３２】
なお，販売装置４は，ユーザが所持しているＩＣカード２に対策指標情報を書込むため，販売装置４の販売手段４１は，ＩＣカード２の分野で普及が進んでいる電子マネーを利用した決済処理に対応していることが望ましい。
【００３３】
販売装置４に備えられたリーダライタ手段４０は，ユーザが所持するＩＣカード２と電気的に接続するインターフェースや，変調・復調回路，エンコード・デコーダなどを備え，当然のことながら，ユーザが所持するＩＣカード２の種類に対応し，ＩＣカード２が非接触型であれば，販売装置４に備えられたリーダライタ手段４０は非接触型のリーダライタになり，ＩＣカード２が接触型であれば，販売装置４に備えられたリーダライタ手段４０は接触型のリーダライタになる。
【００３４】
販売装置４に備えられた対策指標情報ＤＢ４２は，販売装置４の記憶装置（例えば，ＦｅＲＡＭなどのメモリ）に構築されるデータベースで，対策指標情報ＤＢ４２には，販売装置４で販売されている飲食物毎に，メタボリック対策の「食生活の改善」に係わる指標を数値化した対策指標情報（ここでは，カロリー値）が記憶されている。飲食物の品名に関連付けて対策指標情報を記憶してもよいが，飲食物を販売する装置（例えば，自動販売機）では，押しボタンと飲食物は一対一対応になっているため，押しボタンに関連付けて対策指標情報を記憶することもできる。
【００３５】
ここから，図３を参照しながら，販売装置４の動作について説明する。販売装置４が対策指標情報をＩＣカード２に書き込む際，まず，販売装置４の販売手段４１は，ユーザが購入する飲食物の選択情報を取得する（Ｓ１０）。
【００３６】
販売装置４が自動販売機４ａや食券販売機４ｂの場合，ユーザが押しボタンを押すことで飲食物（例えば，社員食堂のメニュー）が選択され，販売装置４の販売手段４１は，ユーザが押した押しボタンの番号を選択情報として取得する。
【００３７】
販売装置４の販売手段４１は，ユーザが購入する飲食物の選択情報を取得すると，対策指標情報ＤＢ４２を参照し，該選択情報で特定される飲食物の対策指標情報（図１では，カロリー値）を検索する（Ｓ１１）。
【００３８】
販売装置４の押しボタンの番号に関連付けて対策指標情報が対策指標情報ＤＢ４２に記憶されている場合，販売装置４は，押しボタンの番号に関連付けられた対策指標情報を対策指標情報ＤＢ４２から取得することになる。また，飲食物の品名に関連付けて対策指標情報が対策指標情報ＤＢ４２に記憶されている場合，販売装置４は，押しボタンの番号で特定される飲食物の品名に関連付けられた対策指標情報を指対策標情報ＤＢ４２から取得することになる。
【００３９】
販売装置４の販売手段４１は，ユーザが購入する飲食物の選択情報を取得すると，リーダライタ手段４０を作動させて，検索した対策指標情報をＩＣカード２に書込む処理を実行させると共に，選択情報で特定される飲食物の代金に対する決済処理を実施する（Ｓ１２）。
【００４０】
販売装置４の販売手段４１は，ユーザが選択した飲食物の代金に対する決済処理を行う前に，ユーザに対して，リーダライタ手段４０へのＩＣカード２の挿入やタッチを要求し，検索した対策指標情報をユーザが所持するＩＣカード２に書込み処理した後，飲食物の代金に対する決済処理を実行する。
【００４１】
なお，飲食物の代金に対する決済処理には紙幣・貨幣を利用することもできるが，非接触型のＩＣカード２の分野では電子マネーが広く普及しているため，ユーザが所持するＩＣカード２に電子マネーのアプリケーションを実装させ，販売装置４の販売手段４１が電子マネーを利用した決済をできるようにしておくと，ユーザの利便性を高められる。
【００４２】
販売装置４の販売手段４１は，検索した対策指標情報をＩＣカード２に書込む処理を実行させると共に，選択情報で特定される飲食物の代金に対する決済処理を実施すると，ユーザが購入した飲食物（例えば，食券）を排出し（Ｓ１３），図３で図示したフローは終了する。
【００４３】
次に，診断基準測定装置３について説明する。図４は，診断基準測定装置３のブロック図で，図５は，診断基準測定装置３の動作を説明するフロー図である。
【００４４】
図４に図示しているように，診断基準測定装置３は，診断基準測定装置３を利用するユーザから，メタボリック・シンドロームの診断基準を数値化した診断基準情報を測定する診断基準測定手段３１と，ユーザが所持するＩＣカード２とデータ通信するリーダライタ手段３０を備えている。
【００４５】
診断基準測定装置３に備えられた診断基準測定手段３１の具体的な内容は，診断基準測定装置３が測定する診断基準情報によって異なる。
診断基準測定装置３としては，ユーザが容易にかつ日常的に利用できる装置を利用することが望ましく，図１で図示したヘルスケアシステム１では，診断基準情報を尿糖値とすし，診断基準測定装置３として，尿糖値測定装置が備えられた便器３ａとしている。
【００４６】
診断基準測定装置３に備えられたリーダライタ手段３０は，販売装置４に備えられたリーダライタ手段４０と同じ手段で，ユーザが所持するＩＣカード２と電気的に接続するインターフェースや，変調・復調回路，エンコード・デコーダなどを備えている。
【００４７】
ここから，図５を参照しながら，診断基準測定装置３の動作について説明する。診断基準測定装置３が診断基準情報をＩＣカード２に書き込む際，まず，診断基準測定装置３の診断基準測定手段は，診断基準測定装置３を利用するユーザの診断基準の指標を数値化した診断基準情報を測定する（Ｓ２０）。
【００４８】
図１で図示したように，尿糖値測定装置が備えられた便器３ａを販売装置４である場合，特許文献２に説明があるように，便器３ａには受尿ユニットが備えられ，便器３ａの尿糖値測定器は，ユーザが便器３ａを利用すると受尿ユニット内の尿の尿糖値を測定する。
【００４９】
診断基準測定装置３の診断基準測定手段３１は，診断基準測定装置３を利用するユーザの診断基準情報（図１では，尿糖値）を測定すると，リーダライタ手段３０を作動させて，測定した診断基準情報をＩＣカード２に書き込む処理を実行し（Ｓ２１），この手順を終了する。
【００５０】
次に，診断基準情報及び対策指標情報を表示する表示装置５について説明する。表示装置５は，一定期間内における対策指標情報（図１では，カロリー値）と診断基準情報（図１では，尿糖値）の変動を表したグラフを表示するために利用される装置であり，汎用のコンピュータ５ａのみならず，専用の装置でも実現できる。
【００５１】
表示装置５としてコンピュータ５ａを利用する場合，コンピュータ５ａは，ＣＰＵ（Central Processing Unit），ＲＡＭ（Random Access Memory）などが備えられ，大容量の外部記憶装置（例えば，ハードディスク）やディスプレイが接続され，該外部記憶装置には，一定期間内における対策指標情報（図１では，カロリー値）と診断基準情報（図１では，尿糖値）の変動を表したグラフを表示するためのコンピュータプログラムが記憶されている。
【００５２】
図６は，表示装置５（図１では，コンピュータ）の動作を説明するフロー図で，表示装置５が，一定期間内における対策指標情報（図１では，カロリー値）と診断基準情報（図１では，尿糖値）の変動を表したグラフを表示するときに実行する手順を示している。
【００５３】
一定期間内における対策指標情報（図１では，カロリー値）と診断基準情報（図１では，尿糖値）の変動を表したグラフを表示するとき，表示装置５は，リーダライタ装置５０に挿入された又はリーダライタ装置５０にかざされたＩＣカード２から，対策指標情報及び販売日並びに診断基準情報及び測定日を読み取る処理を実行する（Ｓ３０）。
【００５４】
表示装置５は，対策指標情報及び販売日並びに診断基準情報及び測定日をＩＣカード２から読み取ると，対策指標情報及び販売日並びに診断基準情報及び測定日を記述したデータテーブルを表示装置５の内部で作成し，該データテーブルを利用して，一定期間内における対策指標情報と診断基準情報の変動を表したグラフをディスプレイに表示する処理を実行する（Ｓ３１）。
【００５５】
図７は，対策指標情報及び診断基準情報の表示例を示した図で，図７において，対策指標情報（図７では，カロリー値）は棒グラフで表示され，診断基準情報（図７では，尿糖値）は折れ線グラフ化されて表示される。
なお，対策指標情報は棒グラフで表示するのは，対策指標情報の量を分かり易く可視化して表示するためで，診断基準情報は折れ線グラフ化で表示するのは，診断基準情報の傾向を分かり易く可視化して表示するためである。
【００５６】
なお、本発明は、これまで説明した実施の形態に限定されることなく、当業者ならば種々の変形や変更が可能である。
【００５７】
図１では、ユーザが所持するＩＣカード２はキャッシュカードサイズのカードで図示しているが，ユーザが所持するＩＣカード２は，ＳＩＭ、ＵＩＭあるいはＵＳＩＭと称される小型のＩＣカード２とすることもできる。
【００５８】
また，メタボリック対策の「食生活の改善」に係わる指標を数値化した対策指標情報は飲食物のカロリー値としているが，対策指標情報は，カロリー情報のみならず，塩分情報，タンパク質情報，脂質情報など，「食生活の改善」に係わる情報であればよい。
【符号の説明】
【００５９】
１    ヘルスケアシステム
２    ＩＣカード
３    診断基準測定装置
３０  リーダライタ手段
３１  診断基準測定手段
４    販売装置
４０  リーダライタ手段
４１  販売手段
４２  診断基準情報ＤＢ
４ａ  自動販売機，４ｂ  食券販売機
５    表示装置
５ａ  コンピュータ
【図１】
2011028367.tif 000003
【図２】
2011028367.tif 000004
【図３】
2011028367.tif 000005
【図４】
2011028367.tif 000006
【図５】
2011028367.tif 000007
【図６】
2011028367.tif 000008
【図７】
2011028367.tif 000009